(57)【要約】【課題】厚手の材質にも適用でき、開封されたか否かを容易に確認できる包装箱を提供する。【解決手段】収容物を出し入れする開口部４が形成された本体４０と、前記開口部４の一部を覆う第一のフラップ１０と、前記第一のフラップ１０に重なる第二のフラップ２０と、流体が封入された袋体６０とを備え、前記第一のフラップ１０には、その厚さ方向に貫通する窓部１２が形成され、前記第二のフラップ２０は、前記窓部１２の一部又は全部を覆い、前記袋体６０は、前記本体４０内に設けられかつ前記窓部１２を通過不能な大きさとされ、前記第二のフラップ２０と前記袋体６０とは、前記窓部１２を通じて剥離不能に接着されていることよりなる。【選択図】図１
2015113150.tif 000002
【特許請求の範囲】
【請求項１】
収容物を出し入れする開口部が形成された本体と、前記開口部の一部を覆う第一のフラップと、前記第一のフラップに重なる第二のフラップと、流体が封入された袋体とを備え、
前記第一のフラップには、その厚さ方向に貫通する窓部が形成され、
前記第二のフラップは、前記窓部の一部又は全部を覆い、
前記袋体は、前記本体内に設けられかつ前記窓部を通過不能な大きさとされ、
前記第二のフラップと前記袋体とは、前記窓部を通じて剥離不能に接着されている包装箱。
【請求項２】
前記第二のフラップは前記窓部の一部のみを覆う、請求項１に記載の包装箱。
【請求項３】
前記窓部の周縁は、前記袋体に損傷を与える破袋部を備える、請求項１又は２に記載の包装箱。
【発明の詳細な説明】
【技術分野】
【０００１】
本発明は、包装箱に関する。
【背景技術】
【０００２】
近年、通信販売等の拡大に伴い、物品を包装箱に収容し、消費者へ直接に配送することが多くなっている。
このため、輸送途中で、収容物が抜き取られたり、すり替えられたりしていないことを確認できる包装箱が要求される。
従来、改竄防止を図った包装箱として、例えば、収容物を取り出すための開口予定部を有する包装箱であって、開口予定部は内フラップと箱本体の側面板との接続部に切断予定部をなしてあり、収容物を収容した後、内フラップと外フラップを接着せしめてなる包装箱が提案されている（例えば、特許文献１）。特許文献１の発明によれば、外フラップを開くと、内フラップが切断予定部で切断されるため、包装箱が開封されたか否かを確認できる。
また、例えば、周壁から延びる内フラップと外フラップとを重ね、これらを接着部で貼り合せて封緘する包装箱において、外フラップに切目を形成し、周壁に、内フラップへの切込みにより突起を設け、この突起が接着部に近接して内フラップと外フラップの隙間を覆うようにした改竄防止機能付き包装箱が提案されている（例えば、特許文献２）。特許文献２の発明によれば、外フラップを開くと、切目で切断されるため、包装箱が開封されたか否かを確認できる。加えて、周壁に形成された突起が、内フラップと外フラップとの隙間を覆っているため、内フラップと外フラップとの隙間にカッターナイフを刺し入れて接着部を切断しようとしても、突起が障害となるため、突起を切り取ったりしないと開封できない。このため、特許文献２の発明は、突起の損傷の有無により、開封されたか否かを確認できる。
【先行技術文献】
【特許文献】
【０００３】
【特許文献１】特開２００３−１３７２７７号公報
【特許文献２】特開２００９−１４９３５５号公報
【発明の概要】
【発明が解決しようとする課題】
【０００４】
しかしながら、特許文献１〜２の発明は、開封時に内フラップ又は外フラップが切断されるものであり、この機構は、段ボール等、厚手の材質への適用が難しい。
また、特許文献２の発明において、突起の損傷が小さい場合、開封されたか否かを一目で確認するのが困難である。加えて、特許文献２の発明では、巧みに接着部を切断された場合には、開封されたか否かを確認できない。
そこで、厚手の材質にも容易に適用でき、開封されたか否かを容易に確認できる包装箱を目的とする。
【課題を解決するための手段】
【０００５】
本発明の包装箱は、収容物を出し入れする開口部が形成された本体と、前記開口部の一部を覆う第一のフラップと、前記第一のフラップに重なる第二のフラップと、流体が封入された袋体とを備え、前記第一のフラップには、その厚さ方向に貫通する窓部が形成され、前記第二のフラップは、前記窓部の一部又は全部を覆い、前記袋体は、前記本体内に設けられかつ前記窓部を通過不能な大きさとされ、前記第二のフラップと前記袋体とは、前記窓部を通じて剥離不能に接着されていることを特徴とする。
前記第二のフラップは前記窓部の一部のみを覆うことが好ましい。また、前記窓部の周縁は、前記袋体に損傷を与える破袋部を備えることが好ましい。
【発明の効果】
【０００６】
本発明の包装箱によれば、厚手の材質にも容易に適用でき、開封されたか否かを容易に確認できる。
【図面の簡単な説明】
【０００７】
【図１】本発明の一実施形態にかかる包装箱の斜視図である。
【図２】本発明の一実施形態にかかる包装箱の斜視図である。
【図３】本発明の包装箱に用いられる袋体の一例を示す斜視図である。
【図４】本発明の一実施形態にかかる包装箱のブランクの平面図である。
【図５】本発明の一実施形態にかかる包装箱の斜視図である。
【発明を実施するための形態】
【０００８】
（包装箱）
本発明の一実施形態にかかる包装箱について、以下に図面を参照して説明する。
図１〜２の包装箱１は、有底四角筒状の本体４０と、第一のフラップ１０と、第二のフラップ２０と、第一の蓋板３０と、第二の蓋板３２とを備える。図１〜２は、説明の便宜上、蓋板を開いた状態で図示されている。
本体４０は、平面視四角形の底部５０と、底部５０の周縁に立設された、第一の側板４２、第二の側板４４、第三の側板４６及び第四の側板４８とを備え、上端に形成された平面視四角形の開口部４を有する。第一の側板４２と第二の側板４４とは対向し、第三の側板４６と第四の側板４８とは対向している。
【０００９】
第一のフラップ１０は、第一の側板４２の上端から延設され、第二のフラップ２０は、第二の側板４４の上端から延設されている。
第一のフラップ１０には、平面視四角形の窓部１２が形成され、窓部１２は、第一のフラップ１０の厚さ方向に貫通している。窓部１２の周縁の一部には、破袋部１４が形成されている。本実施形態において、破袋部１４は、窓部１２における第二の側板４４側の周縁に形成されている。
第一のフラップ１０は、開口部４の一部を覆い、第二のフラップ２０は、窓部１２の一部を覆うように、第一のフラップ１０に重ねられている。
第一の蓋板３０は、第三の側板４６の上端から延設され、第二の蓋板３２は、第四の側板４８の上端から延設されている。
物品を本体４０内に収容する場合には、第一のフラップ１０及び第二のフラップ２０が第一の蓋板３０及び第二の蓋板３２で覆われることで、開口部４が閉じられる。
本体４０内には袋体６０が設けられている。袋体６０と第二のフラップ２０とは、窓部１２を通じて接着部２２で剥離不能に接着されている。
【００１０】
包装箱１の大きさは、収容される物品（収容物）の大きさや数量等を勘案して適宜決定される。
【００１１】
窓部１２の大きさは、第一のフラップ１０に第二のフラップ２０を重ねた際に、窓部１２を通じて袋体６０を視認できる大きさが好ましい。
破袋部１４は、例えば、窓部１２の周縁が鋸刃状に形成されたものでもよいし、窓部１２の周縁に設けられた金属製又は樹脂製の鋸刃等でもよい。破袋部１４が窓部１２の周縁である場合、破袋部１４は厚み方向に圧縮されているのがより好ましい。厚み方向に圧縮されていると、後述する使用方法において、第二のフラップ２０を第一のフラップ１０から引き離そうとした際に、袋体６０をより容易に破れる。
【００１２】
袋体６０は、流体が封入されたものである。流体の種類は、特に限定されず、例えば、空気等の気体、水等の液体が挙げられ、中でも、空気等の気体が好ましい。気体が封入された袋体６０であれば、本体４０内に収容物の緩衝材として作用し、かつ軽量である。
袋体６０の材質は、特に限定されず、ポリエチレン、ポリプロピレン等のプラスチック、紙、及び、紙とプラスチックとの積層物等が挙げられる。中でも、封入された流体の流出を良好に防止する観点からは、プラスチックが好ましい。
袋体６０の厚さは、材質等を勘案して決定される。袋体６０の厚さは、包装箱１の流通時には破れない程度の強度で、かつ、後述する使用方法において、第二のフラップ２０を第一のフラップ１０から引き離そうとした際に破れる程度の厚さである。
袋体６０としては、収容部を１つ有するプラスチック製の袋に空気が封入された、いわゆるピロー型のエア緩衝材が好ましい（図３参照）。ピロー型のエア緩衝材であれば、後述する使用方法において、袋体６０の破袋の有無をより視認しやすい。
袋体６０の大きさは、流体が封入された状態において、窓部１２を通過不能なものであればよい。「通過不能」とは、袋体６０の全体が窓部１２を通過できないことをいう。
【００１３】
接着部２２は、第一のフラップ１０と袋体６０とを剥離不能に接着できればよい。接着部２２は、第一のフラップ１０及び袋体６０の材質等を勘案して適宜決定され、例えば、従来公知の接着剤や両面テープ等が挙げられる。
【００１４】
包装箱１は、図４のブランク１ａと袋体６０とにより構成される。
ブランク１ａは、一方を長手とする平面視長方形の第一の側板４２を備える。第一の側板４２には、その長手を形成する一方の辺から平面視長方形の第三の側板４６が延設され、長手を形成する他方の辺から平面視長方形の貼りしろ４１が延設されている。第一の側板４２と貼りしろ４１との境界には折曲線４３が形成され、第一の側板４２と第三の側板４６との境界には折曲線４５が形成されている。
第一の側板４２には、その短手を形成する一方の辺から平面視長方形の第一のフラップ１０が延設され、短手を形成する他方の辺から平面視長方形の第一の底板５２が延設されている。第一の側板４２と第一のフラップ１０との境界には折曲線１１が形成され、第一の側板４２と第一の底板５２との境界には折曲線５３が形成されている。
【００１５】
第三の側板４６には、第一の側板４２と反対側の辺から第二の側板４４が延設され、第三の側板４６と第二の側板４４との境界には、折曲線４７が形成されている。第三の側板４６には、第一のフラップ１０の延設方向に向かう第一の蓋板３０が延設され、第一の底板５２の延設方向に向かう第三の底板５６が延設されている。第三の側板４６と第一の蓋板３０との境界には折曲線３１が形成され、第三の側板４６と第三の底板５６との境界には折曲線５７が形成されている。
【００１６】
第二の側板４４には、第三の側板４６と反対側の辺から第四の側板４８が延設され、第二の側板４４と第四の側板４８との境界には折曲線４９が形成されている。第二の側板４４には、第一のフラップ１０の延設方向に向かう第二のフラップ２０が延設され、第一の底板５２の延設方向に向かう第二の底板５４が延設されている。第二の側板４４と第二のフラップ２０との境界には折曲線２１が形成され、第二の側板４４と第二の底板５４との境界には折曲線５５が形成されている。
【００１７】
第四の側板４８には、第一のフラップ１０の延設方向に向かう第二の蓋板３２が延設され、第一の底板５２の延設方向に向かう第四の底板５８が延設されている。第四の側板４８と第二の蓋板３２との境界には折曲線３３が形成され、第四の側板４８と第四の底板５８との境界には折曲線５９が形成されている。
【００１８】
ブランク１ａの材質としては、折り曲げ加工が可能なものであればよく、包装箱１に求める強度等を勘案して決定できる。ブランク１ａの材質としては、例えば、紙類又は紙類の成形加工品である紙製の材料、ポリエチレン、ポリプロピレン、ポリエステル等の樹脂、アルミニウム等の金属、紙製の材料に樹脂層又は金属層を設けた積層物等が挙げられる。
【００１９】
紙類は、ＪＩＳ  Ｐ０００１で定義される「紙」の他、ＪＩＳ  Ｐ０００１で定義される「板紙」を含む概念である。また、紙製とは、紙類、紙類の成形加工品でありＪＩＳ  Ｚ０１０４で定義される「段ボール」を含む概念である。
【００２０】
ブランク１ａの材質としては、紙製の中でも、ライナー紙等の段ボール原紙、白板紙、色板紙等の紙器用板紙、防水原紙、紙管原紙等の雑板紙等の板紙、段ボールが好ましい。板紙、段ボールは、自立性を有するため成形が容易であり、軽量で、持ち運びに便利である。
ブランク１ａに用いられる材料の厚さは、包装箱１に求める強度等を勘案して決定される。
【００２１】
（使用方法）
包装箱１は、例えば、以下のように用いられる。
ブランク１ａを折曲線４３、４５、４７、４９で谷折りし、第四の側板４８における第二の側板４４の反対側の側縁と折曲線４３とを当接するように、貼りしろ４１を第四の側板４８に貼着する。
ブランク１ａを折曲線５３、５５、５７、５９で谷折りし、第一の底板５２、第二の底板５４、第三の底板５６、第四の底板５８を重ね、貼着して底部５０を形成する。
こうして、開口部４を有する有底四角筒状の本体４０が形成される。
物品を本体４０内に収容し、収容された物品の上に袋体６０を載せる。折曲線１１を谷折りし、第一のフラップ１０で開口部４の一部を覆う。この際、袋体６０は窓部１２から露出する。
次いで、折曲線２１を谷折りし、第二のフラップ２０を第一のフラップ１０に重ねて、第二のフラップ２０で窓部１２の一部を覆う。この際、第二のフラップ２０及び袋体６０の双方もしくは一方に接着部２２を設けることで、第二のフラップ２０と袋体６０とは、窓部１２を通じて接着される。例えば、図５に示すように、第二のフラップ２０に接着部２２を設けることで、第二のフラップ２０を折曲線２１で折り曲げて、第一のフラップ１０に重ねた際に、第二のフラップ２０と袋体６０とを接着できる。
第二のフラップ２０が第一のフラップ１０に重なった状態（図２参照）において、窓部１２から袋体６０の一部が露出する。
折曲線３１及び折曲線３３を谷折りし、第一の蓋板３０及び第二の蓋板３２を第一のフラップ１０及び第二のフラップ２０に重ね、開口部４を塞ぎ、包装箱１を封緘する。
【００２２】
物品が収容され封緘された包装箱１は、流通される。
包装箱１から収容物を取り出す場合には、第一の蓋板３０と第二の蓋板３２とを第一のフラップ１０及び第二のフラップ２０から引き離すように操作して、包装箱１を開封する。この段階において、開口部４は、第一のフラップ１０、第二のフラップ２０及び袋体６０によって塞がれている（図２）ため、収容物を取り出せない。
次いで、第二のフラップ２０を第一のフラップ１０から引き離すように操作すると、第二のフラップ２０の動きに追随して、袋体６０が窓部１２を通過しようとする。しかし、袋体６０は窓部１２を通過不能であり、かつ第二のフラップ２０と袋体６０とは剥離不能に接着されているため、袋体６０が窓部１２の周縁に引っかかり、第二のフラップ２０の開き具合は規制される。このため、本体４０内の収容物を取り出せない。
第二のフラップ２０を第一のフラップ１０からさらに引き離そうとすると、袋体６０は、窓部１２の破袋部１４で損傷が与えられて破れるか、接着部２２で破れる。そして、包装箱１を再封しても、袋体６０は破れたままとなる。
このため、受領者は、第一の蓋板３０及び第二の蓋板３２を開けた際に、窓部１２から袋体６０が破れているか否かを目視することで、流通中に開封されたか否かを容易に確認できる。即ち、受領者は、袋体６０が破れていなければ、収容物を抜き取られたり、すり変えられたりしていないことを確認でき、袋体６０が破れていれば、包装箱１が開封されたことを確認できる。
あるいは、袋体６０を破らないように開封するために、第一のフラップ１０を切断すると、包装箱１を再封しても、第一のフラップ１０は切断されたままである。
このため、受領者は、第一のフラップ１０が破損しているか否かを目視することで、包装箱１が開封されたか否かを確認できる。
【００２３】
上述の通り、本実施形態の包装箱１は、本体４０と、開口部４の一部を覆う第一のフラップ１０と、第一のフラップ１０に重なる第二のフラップ２０と、袋体６０とを備え、第一のフラップ１０には、窓部１２が形成され、第二のフラップ２０は、窓部１２の一部を覆い、袋体６０は、本体内に設けられかつ窓部１２を通過不能な大きさとされ、第二のフラップ２０と袋体６０とは、窓部１２を通じて剥離不能に接着されている。このため、袋体６０の破袋の有無を目視することで、開封されたか否かを容易に確認できる。
加えて、本実施形態の包装箱１は、開封の際に蓋体等を切断することで、開封されたか否かを確認する機構ではないため、段ボール等の厚手の材質であっても、容易に適用できる。
【００２４】
（その他の実施形態）
本発明の包装箱は、上述の実施形態に限定されるものではない。
上述の実施形態では、本体が有底四角筒状であるが、本発明はこれに限定されず、本体は、四角筒状以外の有底多角筒状でもよいし、有底円筒状でもよい。
【００２５】
上述の実施形態では、第一の蓋板及び第二の蓋板を備えるが、本発明において蓋板は本体の開口部を覆えればよく、１枚の蓋板で開口部を覆ってもよい。
上述の実施形態では、第一のフラップ及び第二のフラップを覆う第一の蓋板及び第二の蓋板を備えるが、本発明はこれに限定されず、第一のフラップと第二のフラップとで開口部の全体を覆ってもよい。例えば、第二のフラップが窓部の全部を覆えれば、蓋板を省略してもよい。ただし、第二のフラップを開く前に、袋体が破れているか否かをより容易に目視できる観点からは、第二のフラップが窓部の一部のみを覆い、蓋板で開口部全体を覆うことが好ましい。
【００２６】
上述の実施形態では、窓部の周縁に破袋部が形成されているが、本発明はこれに限定されず、破袋部が形成されていなくてもよい。ただし、袋体を容易に破れやすくする観点からは、破袋部が形成されていることが好ましい。
【００２７】
上述の実施形態では、破袋部が、窓部における第二の側板側の周縁（即ち、第一のフラップの延設方向先端寄りの周縁）に形成されているが、本発明はこれに限定されず、破袋部が窓部の周縁のいかなる位置に形成されていてもよい。ただし、袋体をより容易に破れやすくするためには、破袋部が、窓部における第一のフラップの延設方向先端寄りの周縁に形成されていることが好ましい。
【００２８】
上述の実施形態では、窓部が平面視四角形とされているが、本発明はこれに限定されず、窓部は、平面視四角形以外の多角形でもよいし、円形でもよい。
【００２９】
上述の実施形態では、折り曲げ可能な材質で形成されたブランクによって構成された包装箱について説明したが、本発明において材質はこれに限定されない。例えば、本体がプラスチック等の射出成形品や、平板状の剛直な部材を組み合せたものであり、第一及び第二のフラップならびに第一及び第二の蓋板の少なくともいずれかが、平板状の剛直な部材でかつ本体とヒンジで接続されたものでもよい。
【符号の説明】
【００３０】
１  包装箱
４  開口部
１０  第一のフラップ
１２  窓部
１４  破袋部
２０  第二のフラップ
４０  本体
６０  袋体
【図１】
2015113150.tif 000003
【図２】
2015113150.tif 000004
【図３】
2015113150.tif 000005
【図４】
2015113150.tif 000006
【図５】
2015113150.tif 000007